(57)【要約】【課題】エネルギーの環境問題を意識してエネルギー消費量を考慮した記録装置を提供すること。【解決手段】記録装置（１）は、記録データを送信可能な送信装置（１５〜１７）から記録データを受信する一の記録装置であって、前記送信装置（１５〜１７）から送信された記録データを受信する受信部８と、該受信部８で受信した記録データを解析する解析部１０と、記録部４と、制御部１１と、を備え、該制御部１１は、前記受信部８が一の記録データを受信してもすぐに記録を開始させず、記録開始するまでの間に複数の記録データが受信された場合、前記解析部１０によって解析された複数の記録データ上の記録画像を、該記録データ上の記録画像のサイズを考慮して、被記録媒体のサイズに応じてデータ上で割付をして前記記録部４に記録させることを特徴とする。【選択図】図２
2012116121.tif 000002
【特許請求の範囲】
【請求項１】
記録データを送信可能な送信装置から記録データを受信する一の記録装置であって、
前記送信装置から送信された記録データを受信する受信部と、
該受信部で受信した記録データを解析する解析部と、
被記録媒体に対して記録する記録部と、
前記解析部による解析に基づいて前記記録部を制御する制御部と、を備え、
該制御部は、前記受信部が一の記録データを受信してもすぐに記録を開始させず、記録開始するまでの間に複数の記録データが受信された場合、前記解析部によって解析された複数の記録データ上の記録画像を、該記録データ上の記録画像のサイズを考慮して、被記録媒体のサイズに応じてデータ上で割付をして前記記録部に記録させることを特徴とする記録装置。
【請求項２】
請求項１に記載の記録装置において、前記受信部は、複数の前記送信装置から記録データを受信する構成である記録装置。
【請求項３】
請求項１または２に記載の記録装置において、単位面積当たりの記録量が所定量より多い記録データと、前記所定量より少ない記録データとがあると前記解析部が判断した場合、前記制御部は、前記所定量より多い記録データ上の記録画像と、前記所定量より少ない記録データ上の記録画像とを隣接させて前記割付をする構成である記録装置。
【請求項４】
請求項１または２に記載の記録装置において、前記割付により隣接する二つの記録データ上の記録画像の少なくとも一方において、隣接する側における単位面積当たりの記録量が所定量より多く、隣接する側と反対側における単位面積当たりの記録量が前記所定量より少ない場合、前記制御部は、前記記録データ上の記録画像の向きを半回転させてから前記記録させる構成である記録装置。
【請求項５】
請求項１から４のいずれか１項に記載の記録装置において、前記制御部は、所定時間経過する毎に、前記記録させる構成である記録装置。
【発明の詳細な説明】
【技術分野】
【０００１】
本発明は、記録データを送信可能な送信装置から記録データを受信して被記録媒体に記録する記録装置に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１に示す如く、ネットワーク上の複数の印刷装置に印刷ジョブを割り振って印刷効率を向上させる印刷制御システムがあった。また、分割印刷ジョブを印刷先の印刷装置に分配し、分割印刷ジョブの処理状況および分割印刷ジョブ以外の他の印刷ジョブの処理状況を監視し、監視結果に基づいて印刷完了予測時刻の再演算を行うように構成されていた。そして、演算結果が印刷完了要求時刻を上回ると、再度、受付印刷ジョブの再分割スケジューリングを行うように設けられていた。  
その結果、目標時刻により一層確実に印刷させて、利用性を向上させることができた。
【先行技術文献】
【特許文献】
【０００３】
【特許文献１】特開２００９−１２３１４７号公報
【発明の概要】
【発明が解決しようとする課題】
【０００４】
ところが、前記ネットワークは、印刷装置が複数あることを前提とする構成であり、一つの印刷装置に対してユーザーがそれぞれの要求として印刷ジョブを送る構成ではなかった。  
ここで、一の印刷装置に対して例えばコンピューターから印刷ジョブが送られる構成について検討する。一の印刷装置は、通常、受信した順にただ単に印刷ジョブを印刷する構成である。また、印刷装置は、内部に温度条件を一定に保つ機構や、インクヘッド・インク供給回路を印刷条件に設定するような機構を持つのが一般的である。通常、これらの機構は、非動作状態が一定時間以上続くとエネルギー消費を抑えるため、また装置の寿命を延ばすため休止状態に切り替わるように制御されている。そして、一定の間隔を空けて印刷ジョブを受信すると、その都度、休止状態から印刷駆動状態へ切り替わるように制御されている。
【０００５】
しかしながら、休止状態から印刷駆動状態への遷移には、大きなエネルギーが使用される。また、印刷ジョブを受信する度に休止状態から印刷駆動状態への遷移が繰り返されると、遷移回数が多くなり、エネルギー消費量が大きくなる。これでは、環境によくない。
【０００６】
本発明は、このような状況に鑑み成されたものであり、その課題は、エネルギーの環境問題を意識してエネルギー消費量を考慮した記録装置を提供することである。
【課題を解決するための手段】
【０００７】
上記課題を達成するため、本発明の第１の態様の記録装置は、記録データを送信可能な送信装置から記録データを受信する一の記録装置であって、前記送信装置から送信された記録データを受信する受信部と、該受信部で受信した記録データを解析する解析部と、被記録媒体に対して記録する記録部と、前記解析部による解析に基づいて前記記録部を制御する制御部と、を備え、該制御部は、前記受信部が一の記録データを受信してもすぐに記録を開始させず、記録開始するまでの間に複数の記録データが受信された場合、前記解析部によって解析された複数の記録データ上の記録画像を、該記録データ上の記録画像のサイズを考慮して、被記録媒体のサイズに応じてデータ上で割付をして前記記録部に記録させることを特徴とする。  
ここで、「記録画像」とは、データ上の画像をいう。
【０００８】
本態様によれば、不定期に受信した複数の記録データを、纏めて記録することができる。従って、エネルギー消費を押さえた所謂、スリープ状態である休止状態から記録駆動状態への遷移回数を、記録データを受信する度にすぐ記録する構成と比較して、少なくすることができる。その結果、休止状態から記録駆動状態への遷移によるエネルギーの消費を低減でき、環境にやさしい。  
また、効率よく割付をすることが可能であるので、被記録媒体の無駄を低減することができる。例えば、無駄となる余白部分を減らすことができ、資源の無駄遣いを低減することができる。
【０００９】
本発明の第２の態様は、第１の態様において、前記受信部は、複数の前記送信装置から記録データを受信する構成であることを特徴とする。  
本態様によれば、複数の前記送信装置と一の記録装置とが通信可能に接続されている場合、一の送信装置のユーザーは、他の送信装置のユーザーが該他の送信装置から送信した記録データの内容を知らない。係る場合、休止状態から記録駆動状態への遷移回数が多くなることによるエネルギー消費量の問題が必ず生じるので、すぐに記録を実行せず、纏めて記録を実行する構成は、特に有効である。
【００１０】
本発明の第３の態様は、第１または第２の態様において、単位面積当たりの記録量が所定量より多い記録データと、前記所定量より少ない記録データとがあると前記解析部が判断した場合、前記制御部は、前記所定量より多い記録データ上の記録画像と、前記所定量より少ない記録データ上の記録画像とを隣接させて前記割付をする構成であることを特徴とする。  
ここで、「所定量」は、インクが吐出されたときに所謂、ベタ塗りとなるか否かを判定することができる量である。所定量より多い場合はベタ塗りであると判定することができ、所定量より少ない場合は、ベタ塗りではないと判定することができる。
【００１１】
本態様によれば、第１または第２の態様と同様の作用効果に加え、前記記録データの状態で単位面積当たりの記録量が所定量より多いか否かを判断して記録画像を割付する。これにより、実際に隣接した記録された画像の両方の見栄えをよくすることができる。即ち、前記所定量より多い記録データに基づいて記録された画像同士が互いに端部で重なることにより、見栄えが悪くなる虞がない。
【００１２】
本発明の第４の態様は、第１または第２の態様において、前記割付により隣接する二つの記録データ上の記録画像の少なくとも一方において、隣接する側における単位面積当たりの記録量が所定量より多く、隣接する側と反対側における単位面積当たりの記録量が前記所定量より少ない場合、前記制御部は、前記記録データ上の記録画像の向きを半回転させてから前記記録させる構成であることを特徴とする。
【００１３】
本態様によれば、第１または第２の態様と同様の作用効果に加え、記録画像の特に端部を前記記録データの状態で単位面積当たりの記録量が所定量より多いか否かを判断して割付をする。そして、必要に応じて少なくとも一方を半回転させて割付をして記録を実行する。従って、記録された画像同士が互いのベタ塗りの端部で重なることを防止することができる。その結果、割付の自由度が増す。  
また、二つの隣接する記録データの両方において、隣接する側における単位面積当たりの記録量が前記所定量より少ない場合、互いの重なりを殆ど考慮する必要がないので、後工程において裁断しやすい。
【００１４】
本発明の第５の態様は、第１から第４のいずれか一の態様において、前記制御部は、所定時間経過する毎に、前記記録させる構成であることを特徴とする。  
本態様によれば、第１から第４のいずれか一の態様と同様の作用効果に加え、例えば、所定時間を３時間、３日間、１週間等に設定することができる。係る場合、３時間、３日間、１週間等の所定期間（所定時間）における休止状態から記録駆動状態への遷移回数を、所定回数以下にすることができ、環境にやさしい。
【図面の簡単な説明】
【００１５】
【図１】本実施例のプリンター全体の概略を示す側面図。
【図２】本実施例のプリンターを含むネットワークの概略を示す図。
【図３】本実施例のプリンターの制御を示す図。
【図４】（Ａ）（Ｂ）は本実施例におけるロール紙に対するデータの割付例を示す図。
【発明を実施するための形態】
【００１６】
以下、本発明の実施の形態を図面に基づいて説明する。  
図１に示すのは、本発明に係る記録装置の一例であるプリンター１の概略を示す側面図である。  
図１に示す如く、プリンター１は、媒体送り手段２と、記録部４と、排出手段の一例である巻き取り手段１２と、を備えている。このうち、媒体送り手段２は、被記録媒体および被送り媒体の一例であるロール媒体としてのロール紙Ｐを送り方向下流側（Ｙ軸の矢印方向）へ送ることができるように設けられている。
【００１７】
具体的には、送り出し手段３と、ローラー対１４とを備えている。このうち、送り出し手段３は、ロール状に巻かれたロール紙Ｐを解いて送り方向下流側へ送り出すことができるように構成されている。また、ローラー対１４は、解かれたロール紙Ｐをさらに下流側の記録部４へ送ることができるように構成されている。  
また、記録部４は、媒体送り手段２より下流側において、ロール紙Ｐに対してインクを吐出して記録を実行することができるように設けられている。具体的には、記録部４は、キャリッジ７と、記録ヘッド５と、ノズル６と、媒体支持部９と、を備えている。このうち、キャリッジ７は、ガイド軸１３および図示しない駆動モーターの動力によって、ロール紙Ｐの幅方向Ｘへ移動可能に構成されている。
【００１８】
また、記録ヘッド５は、キャリッジ７に設けられている。またさらに、インクを吐出するノズル６は、記録ヘッド５における媒体支持部９と対向する面に形成されている。また、媒体支持部９は、ロール紙Ｐを支持し、ロール紙Ｐと記録ヘッド５との間の距離を所定の距離に保つことができるように設けられている。尚、Ｚ軸方向は、媒体支持部９と記録ヘッド５とが対向する方向である。また、鉛直方向でもある。
【００１９】
また、巻き取り手段１２は、記録部４より下流側において、記録されたロール紙Ｐを巻き取ることができるように設けられている。  
尚、ロール媒体の一例としてロール紙Ｐについて説明するが、紙に限らない。布（反物）やフィルム媒体でもよいのは勿論である。また、被記録媒体および被送り媒体は、ロール状のものに限らない。シート状の所謂、単票紙でもよい。単票紙の場合、本実施例では出来るだけ大きな大判用紙であることが望ましい、例えばＡ１以上のサイズが望ましい。詳しくは後述する割付の自由度が増すからである。
【００２０】
図２に示すのは、本実施例のプリンター１を含むネットワークの概略を示す図である。  
図２に示す如く、本実施例のプリンター１は、記録データを送信する送信機としてのコンピューター（１５〜１７）と接続されている。具体的には、三台のコンピューターとしての第１コンピューター１５〜第３コンピューター１７が、一台のプリンター１と接続されている。尚、コンピューターの数は、三台に限らないのは勿論である。
【００２１】
また、プリンター１は、受信部８と、解析部１０と、制御部１１と、記録部４と、を有している。  
このうち、受信部８は、第１コンピューター１５〜第３コンピューター１７から送信された記録データを受信することができるように設けられている。通信方法は、有線通信、無線通信のいずれでもよい。さらに、受信部８は、受信した記録データを記憶することができるメモリーを有している。例えば、ＲＡＭ（Random Access Memory）等を挙げることができる。これにより、所定時間、複数の記録データを記憶しておくことができる。
【００２２】
また、解析部１０は、受信部８で受信した記録データの記録画像（Ｄ１、Ｄ２…）を解析することができるように設けられている。ここで、「記録画像」とは、前述したように、データ上の画像をいう。  
具体的には、記録画像（Ｄ１、Ｄ２…）がどの用紙サイズに対応した画像サイズで記録するものか、全体として単位面積当たりのインク吐出量が所定量より多いか否か、記録画像（Ｄ１、Ｄ２…）の端部における単位面積当たりのインク吐出量が所定量より多いか否か等を解析する。
【００２３】
ここで、「所定量」は、前述したように、インクが吐出されたときに所謂、ベタ塗りとなるか否かを判定することができる量である。所定量より多い場合はベタ塗りであると判定することができ、所定量より少ない場合は、ベタ塗りではないと判定することができる。  
尚、解析部１０は、例えば、ＡＳＩＣ（Application Specific Integrated Circuit）等によって構成することができる。
【００２４】
またさらに、制御部１１は、所定時間経過する毎に、解析部１０が解析した複数の記録データの記録画像（Ｄ１、Ｄ２…）を、セットされたロール紙Ｐのサイズに応じて、複数の記録データの記録画像（Ｄ１、Ｄ２…）のサイズを考慮してデータ上で割付する割付モードを有している。割付モードでは、複数の記録データをどのようにロール紙Ｐに割付したら効率がよいか、最適化をすることができるように設けられている。また、前述した記録部４を制御して記録を実行することができるように構成されている。
【００２５】
尚、割付をするタイミングは、所定時間経過する毎でもよいが、所定の時間になったときに割付をする構成でもよい。技術的思想としては、割付モードのとき、受信した一の記録データに基づいてすぐに記録が開始されない構成であればよい。  
また、記録部４は、制御部１１の制御により、前述したようにロール紙Ｐに対して記録を実行することができるように構成されている。
【００２６】
続いて、具体的な制御について説明する。  
図３に示すのは、本実施例のプリンター１の割付モードにおける制御を示す図である。  
図３に示す如く、ステップＳ１では、所定時間経過したか否かを判定する。例えば、３時間経過したか否かを判定する。そして、経過したと判定した場合、複数の記録データを既に受信していることが推測され、纏めて記録を実行するべく、ステップＳ２へ進む。一方、まだ、所定時間経過してないと判定した場合は、所定時間経過するまで、ステップＳ１を繰り返す。複数の記録データを出来るだけ多く纏めて記録するためである。
【００２７】
ステップＳ２では、受信した記録データが複数か否かを判定する。受信した記録データが複数である場合、効率よく割付をするために解析する必要があるが、受信した記録データが単数および受信した記録データがない場合は、解析する必要がないからである。複数であると判定した場合、解析をするべくステップＳ３へ進む。一方、複数ではないと判定した場合、受信した記録データが単数か、受信した記録データがないのかを判定するべく、ステップＳ６へ進む。
【００２８】
ステップＳ３では、解析部１０が複数の記録データを解析する。前述したように、記録データ毎に、記録画像（Ｄ１、Ｄ２…）のサイズ、記録画像（Ｄ１、Ｄ２…）全体として単位面積当たりのインクの吐出量が所定量より多いか否か、記録画像（Ｄ１、Ｄ２…）の端部における単位面積当たりのインクの吐出量が所定量より多いか否か、を解析する。これにより、全体としてベタ塗りの記録画像（Ｄ１、Ｄ２…）か否か、端部がベタ塗りの記録画像（Ｄ１、Ｄ２…）か否かを把握することができ、割付可能な組み合わせの選択肢を作ることができる。そして、割付をするべく、ステップＳ４へ進む。
【００２９】
ステップＳ４では、解析結果より、複数の記録データを用紙サイズに応じてデータ上で割付をする。  
ここで、「データ上で割付をする」とは、実際に記録を実行したときにそのようなレイアウトで記録画像（Ｄ１、Ｄ２…）が記録されるようにデータの並び順を変更することをいう。  
割付の例について具体的に説明する。
【００３０】
図４（Ａ）（Ｂ）に示すのは、本実施例におけるロール紙Ｐに対するデータの割付例を示す図である。このうち、図４（Ａ）は例その１である。一方、図４（Ｂ）は例その２である。  
図４（Ａ）に示す如く、例えば、ロール紙Ｐの幅がＡ０サイズの幅である場合であって、所定時間内に四つの記録データを受信していたとする。一番目に受信した記録データの記録画像Ｄ１について、記録画像サイズがＡ２サイズ、全体としてベタ塗りであるとする。  
尚、ベタ塗りとなる箇所を斜線で示すものとする（以下、同様）。
【００３１】
二番目に受信した記録データの記録画像Ｄ２について、記録画像サイズがＡ２サイズ、全体としてベタ塗りであるとする。三番目に受信した記録データの記録画像Ｄ３について、記録画像サイズがＡ２サイズ、全体としてベタ塗りでないとする。四番目に受信した記録データの記録画像Ｄ４について、記録画像サイズがＡ４サイズ、全体としてベタ塗りでないとする。
【００３２】
係る場合、二番目に受信した記録データの記録画像Ｄ２（Ａ２サイズ）を用紙送り方向が短くなるように必要ならば回転処理をし、記録画像Ｄ２（Ａ２サイズ）と、四番目に受信した記録データの記録画像Ｄ４（Ａ４サイズ）とを幅方向Ｘに並べて割付をする。また、一番目に受信した記録データの記録画像Ｄ１（ベタ塗りのＡ２サイズ）と、三番目に受信した記録データの記録画像Ｄ３（ベタ塗りでないＡ２サイズ）とを幅方向Ｘに並べて割付をする。
【００３３】
このように、複数の記録データの記録画像サイズを考慮して、実際の用紙サイズに応じて、割付をすることにより、単に受信した順番に記録する構成と比較して、余白部分を少なくし、用紙の無駄を低減することができる。また、単に受信した順番に記録する構成と比較して、ロール紙Ｐを送る量を短くすることができる。これにより、記録開始から終了までの時間を短くすることができる。
【００３４】
図４（Ｂ）に示す如く、例えば、ロール紙Ｐの幅がＡ０サイズの幅である場合であって、所定時間内に二つの記録データを受信していたとする。一番目に受信した記録データの記録画像Ｄ５について、記録画像サイズがＡ２サイズ、全体としてベタ塗りであるとする。二番目に受信した記録データの記録画像Ｄ６について、記録画像サイズがＡ２サイズ、一方の端部がベタ塗りであるとする。
【００３５】
そして、そのまま、一番目に受信した記録データの記録画像Ｄ５と、二番目に受信した記録データの記録画像Ｄ６とを幅方向Ｘに並べて割付をすると、二番目に受信した記録データの記録画像Ｄ６における一番目の記録データの記録画像Ｄ５と隣接する側が、ベタ塗りであり、反対側がベタ塗りではない場合がある。係る場合、二番目に受信した記録データの記録画像Ｄ６を半回転させて割付をする。
【００３６】
これにより、一番目の記録データの記録画像Ｄ５と隣接する側に、ベタ塗りでない端部を配置することができる。その結果、一番目の記録データの記録画像Ｄ５のベタ塗り部分と、二番目の記録データの記録画像Ｄ６のベタ塗り部分とが重なって記録される虞がない。  
尚、二番目の記録データの記録画像Ｄ６を半回転させる代わりに、一番目の記録データの記録画像Ｄ５と、二番目の記録データの記録画像Ｄ６との配置を入れ替えて割付をしてもよい。係る場合も同様の作用効果を得ることができる。
【００３７】
図３に戻って説明を続ける。  
ステップＳ４の割付からステップＳ５の記録実行へ進む。ステップＳ５では、割付によって並べ替えられたデータに基づいて、制御部１１に制御されて記録部４がロール紙Ｐに対して記録を実行する。そして、シーケンスを終了する。  
ステップＳ６では、所定時間内に受信した記録データが一つであるか無であるかを判定する。一つである場合、記録を実行するべく、ステップＳ５へ進む。一方、無である場合、シーケンスを終了する。
【００３８】
以上、説明したように、プリンター１は、コンピューター（１５〜１７）から記録データを受信してもすぐに記録を実行しない。所定時間待って、記録データが複数集まった場合、複数の記録データを効率良く割付をし、纏めて記録を実行するように構成されている。従って、エネルギー消費を押さえた所謂、スリープ状態である休止状態から記録駆動状態への遷移回数を、一の記録データを受信してすぐに記録を実行する構成と比較して、少なくすることができる。その結果、休止状態から記録駆動状態への遷移によるエネルギーの消費を低減でき、環境にやさしい。
【００３９】
尚、本実施例では、複数のコンピューター（１５〜１７）から一のプリンター１に対して記録データが送られるネットワークとして説明したが、これに限らない。コンピューターの数が一つでも本発明は成立する。一のプリンター１に対してコンピューターが一台だけ接続されている構成でも、コンピューターのユーザーが交代した場合、一のユーザーが送信した記録データの内容を、他のユーザーは把握していない。そのため、休止状態から記録駆動状態への遷移回数が多くなることによるエネルギー消費量の問題が生じるからである。
【００４０】
本実施例の記録装置であるプリンター１は、記録データを送信可能な送信装置としてのコンピューター（１５〜１７）から記録データを受信する一のプリンター１であって、コンピューター（１５〜１７）から送信された記録データを受信する受信部８と、受信部８で受信した記録データを解析する解析部１０と、被記録媒体の一例であるロール紙Ｐに対して記録する記録部４と、解析部１０による解析に基づいて記録部４を制御する制御部１１と、を備え、制御部１１は、受信部８が一の記録データを受信してもすぐに記録を開始させず、記録開始するまでの間に複数の記録データが受信された場合、解析部１０によって解析された複数の記録データ上の記録画像（Ｄ１、Ｄ２…）を、該記録データ上の記録画像（Ｄ１、Ｄ２…）のサイズを考慮して、ロール紙Ｐのサイズに応じてデータ上で割付をして記録部４に記録させることを特徴とする。
【００４１】
また、本実施例において、受信部８は、複数のコンピューター（１５〜１７）から記録データを受信する構成であることを特徴とする。  
またさらに、本実施例において、単位面積当たりの記録量が所定量より多い記録データと、前記所定量より少ない記録データとがあると解析部１０が判断した場合、制御部１１は、前記所定量より多い記録データ上の記録画像（例えば図４（Ａ）のＤ１）と、前記所定量より少ない記録データ上の記録画像（例えば図４（Ａ）のＤ３）とを隣接させて前記割付をする構成であることを特徴とする。
【００４２】
また、本実施例において、前記割付により隣接する二つの記録データ上の記録画像の少なくとも一方（例えば図４（Ｂ）のＤ６）において、隣接する側における単位面積当たりの記録量が所定量より多く、隣接する側と反対側における単位面積当たりの記録量が前記所定量より少ない場合、制御部１１は、記録データ上の記録画像（例えば図４（Ｂ）のＤ６）の向きを半回転させてから前記記録させる構成であることを特徴とする。  
またさらに、本実施例において、制御部１１は、所定時間経過する毎に、前記記録させる構成であることを特徴とする。
【００４３】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００４４】
１  プリンター、２  媒体送り手段、３  送り出し手段、４  記録部、５  記録ヘッド、
６  ノズル、７  キャリッジ、８  受信部、９  媒体支持部、１０  解析部、
１１  制御部、１２  巻き取り手段、１３  ガイド軸、１４  ローラー対、
１５  第１コンピューター、１６  第２コンピューター、１７  第３コンピューター、
Ｄ１  （例その１の）一番目の記録データの記録画像、
Ｄ２  二番目の記録データの記録画像、Ｄ３  三番目の記録データの記録画像、
Ｄ４  四番目の記録データの記録画像、
Ｄ５  （例その２の）一番目の記録データの記録画像、
Ｄ６  二番目の記録データの記録画像、Ｐ  ロール紙、Ｘ  幅方向、Ｙ  送り方向、
Ｚ  鉛直方向
【図１】
2012116121.tif 000003
【図２】
2012116121.tif 000004
【図３】
2012116121.tif 000005
【図４】
2012116121.tif 000006